【手続補正書】
【提出日】平成17年5月30日(2005.5.30)
【手続補正１】
【補正対象書類名】明細書
【補正対象項目名】特許請求の範囲
【補正方法】変更
【補正の内容】
【特許請求の範囲】
【請求項１】
電子装置であって、
電圧Ｖｉを提供する出力を有する電圧源、
負荷接続であって、該負荷接続は該負荷接続に結合された容量に依存する立上り時間を有する電圧Ｖｏを受けるもの、
前記電圧源の出力および前記負荷接続に結合されたセンサ回路であって、該センサ回路はＶｉおよびＶｏを検出しかつ（Ｖｉ−Ｖｏ）に関連する出力信号を提供するもの、
前記センサ回路の出力信号を受けかつ、該出力信号に応じて、Ｖｏが実質的にＶｉに等しくなるまで前記容量を充電する充電回路、そして
バッファおよびラッチを有するフィードバック回路であって、該バッファおよびラッチは前記センサ回路に結合されかつＶｏが実質的にＶｉに等しい場合に前記センサ回路を一時的に不作動としそれによって前記センサ回路がＶｉがターンオフされるまで（Ｖｉ−Ｖｏ）に応答しないようにするもの、
を具備することを特徴とする電子装置。
【請求項２】
前記電圧源の出力と前記容量の第１の端子との間に結合された抵抗を備え、前記容量の第２の端子は基準電位に結合されかつ前記容量の前記第１の端子は前記負荷接続に結合され、そして前記センサ回路はその入力を前記抵抗の両端から得ることを特徴とする請求項１に記載の電子装置。
【請求項３】
前記充電回路は電源線に結合された第１の端子、前記容量に結合された第２の端子および前記センサ回路の出力信号によって作動される制御端子を有する電流源を備え、Ｖｉ＞０に対し、前記電流源はＶｏが実質的にＶｉに等しくなるまで実質的に「オン」となりかつその後リセットされるまで「オフ」となることを特徴とする請求項２に記載の電子装置。
【請求項４】
前記センサ回路は不作動にされた後に前記ラッチがリセットされるまで不作動にされた状態に留まっていることを特徴とする請求項１に記載の装置。
【請求項５】
前記バッファは前記センサ回路の出力信号によってドライブされる電流源を備え、前記バッファの出力は前記ラッチに結合され、ＶｉがほぼＶｏに等しい場合かつ前記ラッチによって部分的に決定される遅延の後に、前記ラッチは遷移を行ない、該遷移は前記センサ回路にフィードバックされることを特徴とする請求項２に記載の電子装置。
【請求項６】
負荷接続に対し電圧Ｖｏを提供する高速立上りおよび低雑音回路であって、
電圧Ｖｉをその出力に生成する基準発生器、
前記基準発生器の出力と前記負荷接続との間に結合され前記電圧Ｖｏから高周波雑音を除去するためのフィルタであって、前記負荷接続には容量Ｃが存在するもの、
前記基準発生器の出力に結合された第１の入力端子および前記負荷接続に結合された第２の入力端子並びに出力を有するセンサ回路、そして
前記センサ回路の出力によって作動され、前記負荷接続を、Ｖｏ＜（Ｖｉ−Ｖｏｓ）である場合に第１の電位に結合し、かつＶｏ＞（Ｖｉ＋Ｖｏｓ´）である場合に第２の電位に結合するための充電回路であって、ＶｏｓおよびＶｏｓ´はＶｉよりも小さなオフセット電圧であるもの、
を具備することを特徴とする高速立上りおよび低雑音回路。
【請求項７】
さらに、Ｖｏが（Ｖｉ−Ｖｏｓ）＜Ｖｏ＜（Ｖｉ＋Ｖｏｓ´）の範囲に到達した後に前記充電回路を一時的に不作動とするためのフィードバック回路を具備することを特徴とする請求項６に記載の回路。
【請求項８】
前記電圧Ｖｏｓは５≦Ｖｏｓ≦１００ミリボルトの範囲内の値を有することを特徴とする請求項６に記載の回路。
【請求項９】
前記電圧Ｖｏｓは１０≦Ｖｏｓ≦７０ミリボルトの範囲内の値を有することを特徴とする請求項８に記載の回路。
【請求項１０】
前記フィルタは抵抗Ｒを備え、該抵抗Ｒは前記基準発生器の出力と前記負荷接続との間に結合されていることを特徴とする請求項６に記載の回路。
【請求項１１】
電圧Ｖｏをそのノードに提供する装置であって、
基準電圧Ｖｉを提供するための発生器回路、
前記発生器回路と前記ノードとの間に結合された抵抗Ｒおよび前記ノードに結合された容量Ｃを有し、前記電圧Ｖｏから高周波ノイズを除去するためのフィルタ、
ＤＣ電位接続と前記ノードとの間に結合された可変インピーダンス、
前記抵抗Ｒに結合された入力および出力を有する差動増幅器であって、前記出力は前記容量Ｃの急速な充電が前記抵抗Ｒに依存しないように前記可変インピーダンスを制御するもの、そして
前記差動増幅器の出力から入力信号を受けかつ前記差動増幅器の制御入力に結合された出力を有しＶｏがＶｉにほぼ等しい場合に前記可変インピーダンスをシャットオフしかつ、ある遅延の後に、さらなる電力消費を低減するために前記差動増幅器をシャットオフするためのフィードバック回路、
を具備することを特徴とする電圧Ｖｏをそのノードに提供するための装置。
【請求項１２】
前記フィードバック回路はラッチを備え、該ラッチは前記差動増幅器がアクティブ状態にある一方の安定状態と前記差動増幅器がシャットオフされる他方の安定状態の間で前記ラッチによって前記差動増幅器の他の制御入力に提供される信号に従ってトグルを行なうことを特徴とする請求項１１に記載の装置。
【請求項１３】
前記フィードバック回路はさらに前記可変インピーダンスと同様に前記差動増幅器によって駆動されかつ前記ラッチの「セット」端子にかつ負荷インピーダンスに結合されたカレントミラーを備え、Ｖｉ＞Ｖｏである場合に、前記ラッチの前記「セット」端子の電位は前記ラッチの出力が前記差動増幅器をアクティブ状態に維持するよう設定され、かつＶｏがＶｉにほぼ等しい場合に前記ラッチの前記「セット」端子の電位は前記ラッチがトグルするように設定され、それによって前記差動増幅器をシャットオフすることを特徴とする請求項１２に記載の装置。
【請求項１４】
電圧Ｖｏをそのノードに提供する装置であって、
電圧Ｖｉを提供するための電圧基準回路、
ローパスＲＣフィルタであって、該フィルタにおいて抵抗Ｒが前記内部電圧基準回路と前記ノードとの間に結合され、容量Ｃが前記ノードに結合されて電圧Ｖｏから高周波雑音を除去するもの、
ＤＣ電位と電圧Ｖｏを有する前記ノードの間に結合された可変電流源であって、該可変電流源はＶｏ＜Ｖｉ−Ｖｏｓ１である場合に前記容量Ｃを電圧Ｖｉに充電するための第１の部分、およびＶｏ＞Ｖｉ＋Ｖｏｓ２である場合に前記容量Ｃを放電するための第２の部分を有し、Ｖｏｓ１およびＶｏｓ２はゼロより大きいオフセット電圧であるもの、そして
前記抵抗Ｒに結合され前記可変電流源を駆動して前記容量Ｃの高速度の充電および放電が前記抵抗Ｒに依存しないように駆動を行なう差動増幅器、
を具備することを特徴とする電圧Ｖｏをそのノードに提供する装置。
【請求項１５】
前記電圧Ｖｏｓ１およびＶｏｓ２は約５ミリボルトより大きくかつ約１００ミリボルトより小さい値を有することを特徴とする請求項１４に記載の装置。
【請求項１６】
前記電圧Ｖｏｓ１およびＶｏｓ２は約１０ミリボルトより大きくかつ約７０ミリボルトより小さい値を有することを特徴とする請求項１５に記載の装置。
【請求項１７】
前記差動増幅器は前記第１の部分を駆動する第１の差動増幅器および前記第２の部分を駆動する第２の差動増幅器からなることを特徴とする請求項１４に記載の装置。
【請求項１８】
前記第１の差動増幅器の正入力は前記第２の差動増幅器の正入力に結合され、かつ前記第１の差動増幅器の負入力は前記第２の差動増幅器の負入力に結合されていることを特徴とする請求項１７に記載の装置。
【請求項１９】
電圧Ｖｏｓｔ＝Ｖｏｓ１＋Ｖｏｓ２は電圧Ｖｉの２％〜２０％の範囲にあることを特徴とする請求項１４に記載の装置。
【請求項２０】
電圧Ｖｏｓｔ＝Ｖｏｓ１＋Ｖｏｓ２は前記電圧Ｖｉの４％〜１０％の範囲にあることを特徴とする請求項１４に記載の装置。